(57)【要約】      （修正有）【課題】係員の手を煩わせることなく紙幣カセットにセットする紙幣の区分（新券紙幣／流通紙幣）の設定が可能な自動両替取引装置を提供する。【解決手段】紙幣を金種ごとに収容する複数の収容カセットと、収容カセットのそれぞれに収容された紙幣の厚みを検知する検知部と、新券紙幣の枚数と枚数に対応する紙幣の厚みを記憶する厚み変換テーブルと、紙幣の金種と紙幣が新券か流通券かを示す区分と紙幣の枚数を示す紙幣保有枚数とを対応付けて記憶する保有テーブルとを記憶する記憶部と、収容カセットに収容された紙幣の金種ごとの枚数を計数する計数部と、検知部による紙幣の厚みの検知結果と、計数部が計数した紙幣の金種ごとの枚数と、厚み変換テーブルが記憶する枚数に対応する紙幣の厚みとに基づいて収容カセットに収容されている紙幣が新券紙幣か流通紙幣かを判別し、判別した区分と計数された枚数とで保有テーブルを更新する制御部とを備える。【選択図】図１６
2013152591.tif 000002
【特許請求の範囲】
【請求項１】
両替される紙幣を受け入れ、指定された金種の紙幣を放出する両替処理を行う自動両替取引装置であって、
紙幣を金種ごとに収容する複数の収容カセットと、
前記収容カセットのそれぞれに収容された前記紙幣の厚みを検知する検知部と、
新券紙幣の枚数と前記枚数に対応する紙幣の厚みを記憶する厚み変換テーブルと、前記紙幣の金種と前記紙幣が新券であるか流通券であるかを示す区分と前記紙幣の枚数を示す紙幣保有枚数とを対応付けて記憶する保有テーブルと、を記憶する記憶部と、
前記紙幣の金種を鑑別する識別部と、
前記識別部によって鑑別され、前記収容カセットに収容された紙幣の前記金種ごとの枚数を計数する計数部と、
前記検知部による前記紙幣の厚みの検知結果と、前記計数部が計数した前記紙幣の金種ごとの枚数と、前記厚み変換テーブルが記憶する前記枚数に対応する紙幣の厚みとに基づいて、前記収容カセットに収容されている前記紙幣が新券紙幣であるか流通紙幣であるかを判別し、前記保有テーブルが記憶する前記区分と前記紙幣保有枚数とを、前記判別した結果と計数された前記枚数とに更新する制御部と、
を備えることを特徴とする自動両替取引装置。
【請求項２】
前記自動両替取引装置は、前記紙幣を補充するための補充カセットをさらに備え、
前記制御部は、搬送部を介して前記補充カセットにセットされた紙幣を空の状態の前記収容カセットに装填する装填処理、または搬送部を介して前記補充カセットにセットされた紙幣を空ではない状態の前記収容カセットにさらの補充する補充処理を行う際に、前記保有テーブルが記憶する前記区分と前記紙幣保有枚数とを更新する、
ことを特徴とする請求項１に記載の自動両替取引装置。
【請求項３】
前記制御部は、前記装填処理として、前記搬送部を介して前記収容カセットに既に収容されているすべての紙幣を前記補充カセットに繰り出した後、前記収容カセットに繰り出した紙幣を戻す計数戻し処理と、前記補充カセットにセットされた紙幣を空の状態の前記収容カセットに装填する分配処理とを行う、
ことを特徴とする請求項２に記載の自動両替取引装置。
【請求項４】
前記制御部は、前記補充カセットから前記収容カセットに紙幣を収容させる場合において、前記判別した結果が更新前の前記区分と異なる場合には、前記区分を流通券として更新する、
ことを特徴とする請求項２または３に記載の自動両替取引装置。
【請求項５】
前記制御部は、前記複数の出金カセットのうち同じ金種の収容カセットがある場合には、収容されている枚数が最も少ないカセットに前記紙幣の収容先として設定する、
ことを特徴とする請求項１〜４のいずれか１項に記載の自動両替取引装置。
【発明の詳細な説明】
【技術分野】
【０００１】
本発明は、両替される紙幣を受け入れ、指定された金種の紙幣を放出する自動両替取引装置に関する。
【背景技術】
【０００２】
従来、自動両替取引装置の紙幣の装填では、係員が手で直接的に当該紙幣カセットに現金をセットする方式が主であった。しかし、近年では、ＡＴＭ（Automated  Tellers  Machine）のように、装填用カセットに装填用の紙幣をセットし、その紙幣を計数識別した後に紙幣カセットにセットする方式が徐々に増えてきている。従来からの自動両替取引装置が紙幣を計数識別する方式では、紙幣の金種、正損、真偽等の判別は可能であるが、紙幣の新券と流通券とを自動的に判別する手段を有していない。したがって、利用者が新券紙幣への両替を指定することができる自動両替取引装置では、係員が自動両替取引装置の紙幣カセットに出金用紙幣を装填する際に、通常、紙幣カセット毎に新券／流通券の区分を係員が入力する方式が採用されている（例えば、特許文献１〜５）。
【０００３】
新券紙幣は慶事のお祝い金などに使用されるため、特に年末年始に需要が高くなるが、一年を通してみた場合には需要が低い期間が多く、新券紙幣が装置内の紙幣カセットに常にセットされているわけではない。したがって、自動両替取引装置を設置している店舗において新券紙幣が必要と判断された場合にのみ、新券紙幣が紙幣カセットにセットされる運用となっている。
【先行技術文献】
【特許文献】
【０００４】
【特許文献１】特開２０１０−７９６９４号公報
【特許文献２】特開平１１−２７２９２２号公報
【特許文献３】特開２００１−１７５９０７号公報
【特許文献４】特開平７−２８２３２０号公報
【特許文献５】特開２００４−３５５０６２号公報
【発明の概要】
【発明が解決しようとする課題】
【０００５】
従来技術のような紙幣カセット毎に新券・流通券の区分を係員が入力する方式では、紙幣カセットにセットする紙幣を流通紙幣から新券紙幣の運用に切り替える場合、あるいはその逆に、新券紙幣から流通紙幣の運用に切り替える場合など、紙幣の新券・流通券の運用の切替えの際に、自動機の担当係員が忘れずに設定を行う必要がある。しかし、係員が確実に新券・流通券の設定入力を行うとは限らず、設定ミスや設定漏れという人為的なミスが少なからず発生してしまう場合がある。このような場合、利用者が新券紙幣の両替を指定した際に、誤って流通紙幣を出金してしまうという問題や、あるいは装置内に新券がセットされているにもかかわらず、利用者は新券紙幣の両替を指定することができないという問題を引き起こしていた。
【０００６】
上記特許文献１においては、紙幣の改札直後において、顧客の希望に応じて新札の新券紙幣と旧札紙幣のいずれをも払い出すことができるように、新札の新券と新札の流通券を区別して出金する機能を有した自動取引装置が提案されている。しかし、この自動取引装置は、新札紙幣の新券と流通券を装置自身が自動で判別するものではなく、係員が表示入力手段を介して新券もしくは流通券の区分を入力する必要がある。
【０００７】
また、上記特許文献２においては、新券は流通券に比べて搬送中にジャムしたり、傷ついたりする頻度が多いため、新券の出金・入金等の取り扱いを簡易・迅速に行う自動取引装置が提案されている。しかし、特許文献１と同様に、新券紙幣と流通紙幣を装置自身が自動で判別するものではなく、係員が表示入力手段を介して新券紙幣もしくは流通紙幣の区分を入力する必要がある。
【０００８】
さらに、上記特許文献３〜５においては、顧客の希望に応じて新札紙幣と旧札紙幣のいずれをも払い出すことが可能な自動取引装置が提案されているが、新券紙幣と流通紙幣を判別する点については考慮されていない。
【０００９】
本発明は、上記に鑑みてなされたものであって、新券と流通券を取り扱う自動両替取引装置において、係員の手を煩わせることなく紙幣カセットにセットする紙幣の区分（新券紙幣／流通紙幣）の設定が可能な自動両替取引装置を提供することを目的とする。
【課題を解決するための手段】
【００１０】
上述した課題を解決し、目的を達成するために、本発明にかかる紙幣入出金装置は、両替される紙幣を受け入れ、指定された金種の紙幣を放出する両替処理を行う自動両替取引装置であって、紙幣を金種ごとに収容する複数の収容カセットと、前記収容カセットのそれぞれに収容された前記紙幣の厚みを検知する検知部と、新券紙幣の枚数と前記枚数に対応する紙幣の厚みを記憶する厚み変換テーブルと、前記紙幣の金種と前記紙幣が新券であるか流通券であるかを示す区分と前記紙幣の枚数を示す紙幣保有枚数とを対応付けて記憶する保有テーブルと、を記憶する記憶部と、前記紙幣の金種を鑑別する識別部と、前記識別部によって鑑別され、前記収容カセットに収容された紙幣の前記金種ごとの枚数を計数する計数部と、前記検知部による前記紙幣の厚みの検知結果と、前記計数部が計数した前記紙幣の金種ごとの枚数と、前記厚み変換テーブルが記憶する前記枚数に対応する紙幣の厚みとに基づいて、前記収容カセットに収容されている前記紙幣が新券紙幣であるか流通紙幣であるかを判別し、前記保有テーブルが記憶する前記区分と前記紙幣保有枚数とを、前記判別した結果と計数された前記枚数とに更新する制御部と、を備えることを特徴とする。
【発明の効果】
【００１１】
本発明によれば、新券と流通券を取り扱う自動両替取引装置において、係員の手を煩わせることなく紙幣カセットにセットする紙幣の区分（新券紙幣／流通紙幣）の設定が可能な自動両替取引装置を提供することが可能となる。
【図面の簡単な説明】
【００１２】
【図１】自動両替取引装置の外観図。
【図２】自動両替取引装置の内部構成図。
【図３】紙幣入出金機構部の断面図。
【図４】紙幣カセットの断面図。
【図５】カセット内保有紙幣の厚み検知制御フロー。
【図６】押圧制御時の動作時間と紙幣厚みの変換テーブル。
【図７】出金用紙幣カセットの金種構成パターン。
【図８】紙幣装填処理動作（装填補充用カセットの紙幣を出金カセットに分配する場合）。
【図９】紙幣装填処理動作（出金用カセットの紙幣を計数して元の出金カセットに戻す場合）。
【図１０】追加補充の場合の補充処理動作。
【図１１】出金カセットの金種、新券・流通券区分等情報テーブル。
【図１２】分配先カセットの選択処理フロー。
【図１３】紙幣装填処理フロー（装填補充用カセットの紙幣を出金カセットに分配する場合）。
【図１４】紙幣装填処理フロー（出金カセットの紙幣を計数して元の出金カセットに戻す場合）。
【図１５】追加補充処理フロー（装填補充用カセットの紙幣を出金カセットに分配補充する場合）。
【図１６】新券・流通券の判別処理フロー。
【図１７】紙幣の厚みと枚数の変換テーブル。
【図１８】顧客案内画面に表示する両替設定ボタン。
【発明を実施するための形態】
【００１３】
以下に添付図面を参照して、本発明にかかる自動両替取引装置の実施の形態を詳細に説明する。
【００１４】
図１は、本実施形態に係る自動両替取引装置１の外観を示す図である。また、図２は、図１に示した自動両替取引装置１の内部構成図である。自動両替取引装置１は、金融機関等に設置され、両替される貨幣を受け入れ、指定された金種の貨幣を放出する両替処理を行う自動取引装置である。図２に示すように、自動両替取引装置１は、操作部１２と、紙幣入出金機構部（紙幣入出金装置）１３と、硬貨出金機構部１４と、包装硬貨出金機構部１５と、カード機構部１６と、明細票機構部１７と、手数料硬貨入金部１８と、これら各部を制御する制御部１１とを有して構成されている。
【００１５】
制御部１１は、例えば、ＣＰＵ（Central  Processing  Unit）やメモリ等のハード構成と、プログラム、データ等のソフト構成とから成り、各種処理、取引を制御する。操作部１２は、例えば、タッチパネルから構成され、取引のための画面表示機能、あるいはキー入力検知機能を有し、主に自動両替取引装置１の利用者が取引を行う際、取引操作の誘導画面を表示したり、両替金種の指定など利用者の操作や指で押されたキー入力を受付ける。操作部１２は、様々な情報を表示画面に表示し、この表示画面に含まれる色々な項目への押下操作を検知する。
【００１６】
紙幣入出金機構部１３は、両替される紙幣の入金機能と現金の出金機能を司るものである。硬貨出金機構部１４と包装硬貨出金機構部１５とは、現金の出金機能を司るものである。また、紙幣入出金機構部１３は、紙幣の枚数を計数するカウンタ１３１と、紙幣の厚みを検知する時間を計時するタイマ１３２と、紙幣の厚みや枚数、あるいは紙幣の厚みの変化量等、後述する各処理を行うための各種のデータを記憶するメモリ１３３と、を有している。なお、本実施の形態では、カウンタ１３１、タイマ１３２、メモリ１３３は、紙幣入出金機構部１３が有している前提で説明しているが、制御部１１の内部に有していてもよい。
【００１７】
カード機構部１６は、利用者のカードの挿入又は排出動作、カードの磁気ストライプ又はＩＣチップへのリード又はライト動作などの機能を司るものである。また、明細票機構部１７は、取引した内容を印字部により明細票に印字し、印字された明細票を装置内から排出する機能を司るものである。手数料硬貨入金部１８は、両替取引で手数料徴収が必要となる場合に硬貨投入を受け付ける入金機能を司るものである。そして、上述のように、これらの各部位は制御部１１によってその処理が制御される。
【００１８】
図３は、図２に示した紙幣入出金機構部１３の内部構成である。図３に示すように、紙幣入出金機構部１３の上部は、顧客または操作員に紙幣の受け渡しを行う紙幣入出口部３２と、紙幣の計数識別を行う識別部３３と、計数識別された後に一時的に蓄えられる一時保留部３４を備える紙幣計数部３０より構成される。また、紙幣入出金部１３の下部を構成する紙幣金庫部３１は、紙幣を金種別に収納し、出金する紙幣を繰出すための出金用紙幣カセット３５〜３７と、顧客の入金紙幣を収容する入金用紙幣カセット３８と、装填補充用の紙幣カセット３９、出金時のリジェクト紙幣を収容するリジェクト回収部４１、装填補充の際のリジェクト紙幣を収容する分配リジェクト回収部４０、紙幣入出口部３２の紙幣を顧客が取り忘れた際に回収する取忘れ回収部４２で構成される。出金紙幣カセットの個数を多くすれば多種類の紙幣を両替するサービスが可能となるが、取引装置の奥行き寸法の制約や１カセット当たりの収納容量を大きくとるために出金用紙幣カセットは３個を基本とするのが一般的である。
【００１９】
両替取引時、紙幣入出口部３２に投入された紙幣は、１枚毎に分離繰出しされ、搬送路（不図示）を通り、識別部３３により計数識別される。その後、その紙幣は搬送路を通り一時保留部３４に収納される。一時保留部３４に収納された紙幣は、顧客が両替設定処理を行い、設定された両替現金を顧客がすべて抜き取るまでの間は保持され、その後、入金用紙幣カセット３８に収納される。両替紙幣を出金する時は、顧客が設定した金種を収容する紙幣カセットから紙幣が１枚毎に分離繰出しされる。そして、繰り出された紙幣は、搬送路を経由して識別部３３にて計数識別され、その後、搬送路を経由して紙幣入出口部３２に到達し、顧客へ提供される。
【００２０】
自動両替取引装置１に現金を補充する場合は、装填補充用の紙幣カセット３９を取り出し補充現金を詰めてからＢＴＲに戻し現金補充を実行する。このとき、装填補充用の紙幣カセット３９から紙幣が１枚毎に分離繰出しされ、搬送路を順次経由して識別部３３にて計数識別され、紙幣カセットへ収納され、補充処理が終了する。搬送路を通過する際、識別部３３で識別不能となった紙幣は、分配リジェクト回収部４０に回収される。
【００２１】
図４は、出金用紙幣カセットの一例を示す説明図である。図４に示すように、紙幣カセットに収容されている紙幣４４は、押圧板４５の上下駆動により、繰出し時に適正な押圧がかかるように制御される。出金用紙幣カセットから紙幣を１枚ずつ分離して繰出す動作は、フィードローラー４８、ピックアップローラー４９、ゲートローラー５０の制御によって実行される。ここでは、紙幣４４の厚みを計測する目的で、押圧板４５の上下駆動範囲の最下方位置に元位置検知センサ４６を配置している。また、押圧板を上方向へ移動制御する際に最上部の紙幣がピックアップローラー４９に接する位置に到達したことを検知する到達検知センサ４７を配置している。このような構成により、出金用紙幣カセットに収納されている紙幣４４の厚みを算出している。
【００２２】
図５は、紙幣カセット内に保有する紙幣の厚みを検知する処理の処理手順を示すフローチャートである。制御部１１は、まず最初に、押圧板４５の元位置検知センサ４６の状態を確認し押圧板４５が元位置にあるかどうかを判定する（Ｓ５０１）。そして、制御部１１は、押圧板４５が元位置にない場合（Ｓ５０１；Ｎｏ）、押圧板４５を下方へ移動させる（Ｓ５０２）。
【００２３】
一方、押圧板４５が元位置にある場合、もしくは押圧板４５が元位置に到達した場合（Ｓ５０１；Ｙｅｓ）、制御部１１は、押圧板４５を静止させる（Ｓ５０３）。次に、制御部１１は、押圧板駆動時間を計測するためにタイマ１３２をスタートさせ（Ｓ５０４）、押圧板４５を上方向へ移動させる（Ｓ５０５）。
【００２４】
押圧板４５は、到達検知センサ４７の状態変化により、紙幣４４の到達を検知するか、もしくは押圧板４５の到達を検知するまで上方向への移動を継続する（Ｓ５０６、Ｓ５０７）。制御部１１は、到達検知センサ４７の状態変化により、紙幣４４もしくは押圧板４５の到達を検知すると、タイマ１３２の計時をストップさせる（Ｓ５０８）。そして、制御部１１は、図６に示す動作時間と紙幣厚みの変換テーブル（相関値テーブル）を参照し、計測タイマで測定した押圧板４５の動作時間から、紙幣の厚みを算出する（Ｓ５０９）。
【００２５】
図６は、押圧制御時の押圧板の動作時間から紙幣カセットに収容している紙幣の束の厚みの算出できるようにした変換テーブル（相関値テーブル）を示す図である。この相関値テーブルは、紙幣入出金機構部１３が有するメモリ１３３にあらかじめ記憶されている。図６に示すように、相関値テーブルには、押圧板の動作時間と紙幣の厚みとが対応付けて記憶されている。例えば、押圧板の動作時間が１３０００ｍｓの場合には、紙幣の厚みが０ｍｍ（すなわち空の状態）である一方、押圧板の動作時間が１０００ｍｓの場合には、紙幣の厚みが３００ｍｍに及んでいることを示している。ここでは、新券紙幣換算で３０００枚程度収納できる紙幣カセットを想定し、押圧板４５の駆動速度を１秒当たり２５ｍｍとしている。紙幣４４が収容されていない空の状態時に、押圧板の駆動時間が最も長くなり、逆に紙幣が満杯に近い状態のときに、押圧板の駆動時間が最も短くなることを示している。
【００２６】
図７は、出金用紙幣カセット３５〜３７の金種構成例を示している。一般には、千円、５千円を両替紙幣として出金する自動両替取引装置が多く見受けられる。しかし、万円紙幣への両替あるいは万円の新券紙幣への両替といった需要に応えるため、万円紙幣を出金紙幣として準備しているものもある。自動両替取引装置１では、図７の上段部に示すように、出金用紙幣カセットとして、千円、５千円の２種類の金種を割り当て、そのうち取引量が多い千円紙幣に対して２個の紙幣カセットを割り当てたり、あるいは図７の下段部に示すように、出金用紙幣カセットとして、千円、５千円、万円の３種類の金種を割り当てるように構成している。
【００２７】
なお、紙幣装填処理には、装填補充用カセットに装填されている紙幣を出金用紙幣カセットに分配する場合と、出金用紙幣カセットＡ〜Ｃに紙幣が装填され、それらの紙幣を識別し、元の紙幣カセットに戻す場合とがある。図８は、装填補充用カセットに装填されている紙幣を出金用紙幣カセットに分配する場合の処理動作図であり、図９は、出金用紙幣カセットＡ〜Ｃに紙幣が装填され、それらの紙幣を識別し、元の紙幣カセットに戻す場合の処理動作図である。
【００２８】
図８の装填処理動作について説明する。左側が装填処理前の紙幣カセットの状態であり、右側が装填処理後の紙幣カセットの状態である。装填補充用カセットには、千円、５千円、万円の金種が混合して装填される。装填補充用カセットに装填されている紙幣は、１枚ずつ繰出され、識別部を通して金種を識別の上、該当金種の出金カセットに収納される。紙幣入出金機構部１３は、金種が確認できない紙幣や出金に適さない紙幣等は分配リジェクト回収部４０へ収容する。本動作は装填補充用カセット内の紙幣が空になると終了する。ここでは２つの千円紙幣用の出金カセットＡ、Ｂのうち、Ａの紙幣カセットにすべての千円紙幣を分配しているが、Ｂの紙幣カセットにすべての千円紙幣を分配することでもかまわない。
【００２９】
図９の装填処理動作について説明する。まず、出金カセットＡに装填されている紙幣を１枚ずつ繰出し、識別部を通して金種を識別の上、装填補充用カセットに収納する（図９右側の状態となる）。紙幣入出金機構部１３は、金種が確認できない紙幣や出金に適さない紙幣等は分配リジェクト回収部４０へ収容する。本動作は出金カセットＡ内の紙幣が空になると終了する（動作Ａ）。次に、装填補充用カセットに収納されている紙幣を元の出金カセットＡに戻す（動作Ｂ）。出金カセットＢに装填されている紙幣および出金カセットＣに装填されている紙幣についても、出金カセットＡの場合と同様の手順で、繰り返し計数処理を実行する。
【００３０】
図１０は、補充処理動作の説明図である。補充処理動作は、装填補充用カセットに装填されている紙幣を出金用紙幣カセットに分配する動きとなる。図８の装填処理動作と内容が類似しているが、動作前の出金カセットＡ〜Ｃの紙幣保有状態が異なる。装填処理動作時は出金カセットＡ〜Ｃが空であるのに対し、補充処理動作時は出金カセットＡ〜Ｃに紙幣が収容されている。図１０の左側が補充処理前の紙幣カセットの状態であり、右側が補充処理後の紙幣カセットの状態である。
【００３１】
装填補充用カセットに装填されている紙幣は、１枚ずつ繰出され、識別部を通して金種を識別の上、該当金種の出金カセットに収納される。紙幣入出金機構部１３は、金種が確認できない紙幣や出金に適さない紙幣等は分配リジェクト回収部４０へ収容する。本動作は装填補充用カセット内の紙幣が空になると終了する。なお、識別部を通しても新券紙幣と流通紙幣の判別はできないため、図１０に示す説明図のように同一金種で新券紙幣と流通紙幣の紙幣カセットが存在する場合は、図１２「分配先カセットの選択処理フロー」に示す方法により、分配先を判断する。
【００３２】
図１１は、メモリ１３３が、出金カセットの金種情報、新券・流通券の区分、カセット内に保有する紙幣枚数を記憶する情報テーブル（保有テーブル）である。保有テーブルは、図１１に示すように、カセットを識別するためのカセット名称と、そのカセットに収納されている紙幣の金種と、そのカセットに収納されている紙幣が新券であるか流通券であるかを示す新券・流通券区分と、そのカセットに収納されている紙幣の枚数を示す紙幣保有枚数とが対応付けて記憶されている。図１１に示す例では、出金カセット（Ａ）には新券の千円紙幣が１００枚保有され、出金カセット（Ｂ）には流通券の千円紙幣が９００枚保有され、出金カセット（Ｃ）には流通券の５千円紙幣が４００枚保有されていることを示している。
【００３３】
出金カセットＡ〜Ｃの金種構成は、設置店舗の運用により異なるのが一般的ではあるが、設置店舗においては運用開始時に取り決められた内容が変更されることは少ない。このため、一般には、ＢＴＲの設置時に係員が操作部１２から出金カセットの金種構成を設定入力した情報がそのまま記憶されている。出金カセットＡ〜Ｃの新券・流通券の区分情報は、紙幣装填時に後述する処理フロー図１３、図１４にてセットされる。出金カセットＡ〜Ｃの紙幣保有枚数は、紙幣入出金機構部１３により、紙幣装填時、紙幣補充時、両替取引時の出金時など紙幣カセット内の保有枚数が増減する処理時に更新される。
【００３４】
図１２は、分配先カセットの選択処理フローである。制御部１１は、補充処理動作時、千円、５千円、万円の各金種を出金カセットＡ〜Ｃのいずれに分配するかを判別する。本フローは万円紙幣の分配先を判定する処理フローとしているが、千円紙幣、５千円紙幣についても同様の手順で分配先を判定できる。
【００３５】
まず、制御部１１は、図１１に示した保有テーブルを参照し、出金カセットＡ〜Ｃの金種情報に「万円」が存在するかを判定する（Ｓ１２０１）。そして、制御部１１は、「万円」が存在しないと判定した場合（Ｓ１２０１；Ｎｏ）、万円紙幣の分配先を分配リジェクト回収部４０とする（Ｓ１２０５）。
【００３６】
一方、制御部１１は、「万円」が存在すると判定した場合（Ｓ１２０１；Ｙｅｓ）、出金カセットＡ〜Ｃのうち、「万円」の金種となっている紙幣カセットが１個なのか複数なのかを判定する（Ｓ１２０２）。制御部１１は、「万円」の金種となっている紙幣カセットが１個であると判定した場合（Ｓ１２０２；Ｙｅｓ）、「万円」の金種となっている紙幣カセットを万円紙幣の分配先とする（Ｓ１２０４）。
【００３７】
一方、制御部１１は、「万円」の金種となっている紙幣カセットが１個でなく、複数あると判定した場合（Ｓ１２０２；Ｎｏ）、「万円」の金種となっている出金カセットの中で、紙幣保有枚数が一番少ない出金カセットを万円紙幣の分配先とする（Ｓ１２０３）。
【００３８】
続いて、図８に示した「装填処理動作」における紙幣入出金機構部１３の処理について説明する。図１３は、紙幣入出金機構部１３が、制御部１１からの制御により装填処理動作時に行う分配処理の処理手順を示すフローチャートである。分配処理とは、装填補充用カセットの紙幣を出金カセットに分配する場合の処理である。
【００３９】
図１３に示すように、制御部１１は、装填補充用カセットに装填されている紙幣を出金カセットＡ〜Ｃに分配する前に、出金カセットＡ〜Ｃの各紙幣カセットに保有している紙幣の厚みを計測する（Ｓ１３０１）。具体的には、制御部１１は、図５に示した紙幣カセット内に保有する紙幣の厚みを検知する処理を実行することにより紙幣の厚みを計測する。なお、装填処理前の両替機は、通常、装置内に現金が残っていない状態であるため、このタイミングで計測した紙幣カセット内の紙幣の厚みの結果は通常の場合、ゼロとなる。制御部１１は、出金カセットＡ〜Ｃの紙幣の厚みの計測結果をそれぞれ変数Ｋ１〜Ｋ３にセットする。
【００４０】
そして、制御部１１は、出金カセットＡ〜Ｃに保有する紙幣の厚みの計測が終了すると、装填補充用カセットに装填されている紙幣を１枚ずつ繰出し、識別部を通して鑑別の上、該当金種の出金カセットに分配する（Ｓ１３０２）。本動作は装填補充用カセットの紙幣が空になると終了し（Ｓ１３０３）、制御部１１は、出金カセットＡ〜Ｃに分配した紙幣枚数をそれぞれ変数Ｎ１〜Ｎ３にセットする（Ｓ１３０４）。
【００４１】
制御部１１は、装填補充用カセットから出金カセットＡ〜Ｃへの分配処理が終了した後、出金カセットＡ〜Ｃの各紙幣カセットに保有している紙幣の厚みを計測し、計測結果をそれぞれ変数Ｊ１〜Ｊ３にセットする（Ｓ１３０５）。続いて、制御部１１は、紙幣の装填処理前後での出金カセットの紙幣の厚みの変化量を変数Ｊ１〜Ｊ３と変数Ｋ１〜Ｋ３の差分から割り出し、それぞれの結果を変数Ｐ１〜Ｐ３にセットする（Ｓ１３０６）。
【００４２】
制御部１１は、出金カセットＡ〜Ｃのそれぞれについて、分配収納した紙幣枚数Ｎ１〜Ｎ３と、装填処理前後での紙幣の厚みの変化量Ｐ１〜Ｐ３とをパラメタとして、分配収納した紙幣が新券であるか、流通券であるかの判別を行う（Ｓ１３０７、Ｓ１３０８、Ｓ１３０９）。なお、この判別手順については、図１６を用いて後述する。そして、制御部１１は、新券紙幣・流通紙幣の判別結果を図１１に示した保有テーブルの新券・流通券区分に記憶し、更に紙幣保有枚数に今回分配収納した枚数Ｎ１〜Ｎ３の値を加算し、その値を紙幣保有枚数に記憶する（Ｓ１３１０）。
【００４３】
続いて、図９に示した「装填処理動作」における紙幣入出金機構部１３の処理について説明する。図１４は、紙幣入出金機構部１３が、制御部１１からの制御により装填処理動作時に行う計数戻し処理の処理手順を示すフローチャートである。計数戻し処理とは、出金カセットの紙幣を計数して元の出金カセットに戻す場合の処理である。なお、以下では、出金カセットＡ、出金カセットＢ、出金カセットＣの順に出金カセットに装填されている紙幣の計数処理を実行する前提とする。また、図１４では出金カセットＡを例にして説明しているが、出金カセットＢ、出金カセットＣについても同様の処理フローとなる。
【００４４】
まず、制御部１１は、実行開始条件の確認のため、出金カセットＡ内に紙幣が装填されているか（空であるか否か）を判定する（Ｓ１４０１）。制御部１１は、出金カセットＡ内に紙幣が装填されていない（空である）と判定した場合（Ｓ１４０１；Ｙｅｓ）は、出金カセットＡの装填処理は不要となるので処理を終了し、出金カセットＢの処理へ進む。
【００４５】
一方、制御部１１は、出金カセットＡ内に紙幣が装填されている（空でない）と判定した場合（Ｓ１４０１；Ｎｏ）は、次に、装填補充カセット内に紙幣がセットされているか否かを判定する（Ｓ１４０２）。制御部１１は、装填補充カセットは出金用紙幣カセットの装填紙幣を計数識別するための一時的な退避エリアとして使用するため、空でない場合は出金用紙幣カセットの装填紙幣が計数識別できない理由により異常終了とする。
【００４６】
そして、制御部１１は、これらの実行開始条件の確認が終わると、実際の処理を開始する。まず、制御部１１は、出金カセットＡに装填されている紙幣を１枚ずつ繰出し、識別部を通して金種を鑑別の上、装填補充カセットに収納する（Ｓ１４０３）。本動作は出金カセットＡの紙幣が空になると終了する（Ｓ１４０４）。次に、制御部１１は、装填補充用カセットに収納されている紙幣を元の出金カセットＡに戻す（Ｓ１４０５）。本動作は装填補充カセットの紙幣が空になると終了し（Ｓ１４０６）、出金カセットＡに収納した紙幣枚数を変数Ｎにセットする（Ｓ１４０７）。
【００４７】
続いて、制御部１１は、出金カセットＡに保有している紙幣の厚みを計測し、計測結果を変数Ｐにセットする（Ｓ１４０８）。制御部１１は、出金カセットＡについて、装填枚数Ｎと紙幣の厚み量Ｐをパラメタとして、装填した紙幣が新券であるか、流通券であるかの判別を行う（Ｓ１４０９）。なお、この判別手順については、図１６を用いて後述する。そして、制御部１１は、新券紙幣・流通紙幣の判別結果を図１１に示した保有テーブルの新券・流通券区分に記憶し、更に紙幣保有枚数に今回装填した枚数Ｎの値を加算し、その値を紙幣保有枚数に記憶する（Ｓ１４１０）。
【００４８】
続いて、図１０に示した「追加補充の場合の補充処理動作」における紙幣入出金機構部１３の処理について説明する。図１５は、紙幣入出金機構部１３が、制御部１１からの制御により追加補充処理動作時に行う補充処理の処理手順を示すフローチャートである。追加補充処理とは、装填補充カセットの紙幣を出金カセットに分配して補充する場合の処理である。
【００４９】
制御部１１は、まず、装填補充用カセットに装填されている紙幣を出金カセットＡ〜Ｃに分配する前に、出金カセットＡ〜Ｃの各紙幣カセットに保有している紙幣の厚みを計測し、計測結果をそれぞれ変数Ｋ１〜Ｋ３にセットする（Ｓ１５０１）。制御部１１は、分配動作を開始する前に、万円、５千円、千円の各金種をいずれのカセットに分配するかを決定する（Ｓ１５０２）。この処理手順については、図１２に説明した手順により行う。出金カセットＡ〜Ｃの金種がすべて異なる場合は、制御部１１は、各金種の分配先は図１１に示した保有テーブルを参照するだけで決定できるが、同一金種の出金カセットが複数存在する場合は、図１１に示した保有テーブルの金種情報のみでは判断がつかないため、図１２の処理フローにて分配先を決定している。
【００５０】
続いて、制御部１１は、装填補充用カセットに装填されている紙幣を１枚ずつ繰出し、識別部を通して鑑別の上、該当金種の出金カセットに分配する（Ｓ１５０３）。本動作は装填補充用カセットの紙幣が空になると終了する（Ｓ１５０４）。制御部１１は、装填補充用カセットから出金カセットＡ〜Ｃへの分配処理が終了した後、出金カセットＡ〜Ｃのそれぞれについて、以下の処理（Ｓ１５０５〜Ｓ１５１３）を実行する。図１５の右側部には、出金カセットＡを例に記述しているが、出金カセットＢ、出金カセットＣについても同様の処理となる。
【００５１】
まず、制御部１１は、出金カセットＡに分配した紙幣枚数を変数Ｎにセットし（Ｓ１５０５）、セットした変数Ｎがゼロであるか否かを判定する（Ｓ１５０６）。制御部１１は、変数Ｎがゼロであると判定した場合（Ｓ１５０６；Ｙｅｓ）は、出金カセットＡについての処理を終了し、出金カセットＢについての処理をステップ（Ｓ１５０５）に戻って開始する（Ｓ１５０６）。
【００５２】
一方、制御部１１は、変数Ｎがゼロでないと判定した場合（ステップＳ１５０６；Ｎｏ）、つまり、出金カセットＡに紙幣を分配した場合は、分配後の出金カセットＡに保有している紙幣の厚みを計測し結果を変数Ｊにセットする（Ｓ１５０７）。続いて、制御部１１は、紙幣の装填処理前後での出金カセットＡの紙幣の厚みの変化量を変数Ｊと変数Ｋ１の差分から割り出し、結果を変数Ｐにセットする（Ｓ１５０８）。そして、制御部１１は、出金カセットＡについて、分配収納した紙幣枚数Ｎと装填処理前後での紙幣の厚みの変化量Ｐをパラメタとして、分配収納した紙幣が新券であるか、流通券であるかの判別を行う（Ｓ１５０９）。なお、この判別手順については、図１６を用いて後述する。
【００５３】
そして、制御部１１は、新券紙幣・流通紙幣の判別結果を図１１に示す保有テーブルに記憶している情報と比較し（Ｓ１５１０）、比較の結果、一致する場合（Ｓ１５１０；Ｙｅｓ）、カセットＡについての処理を終了する。そして、制御部１１は、出金カセットＢについての処理を、ステップＳ１５０５に戻って開始する。
【００５４】
一方、制御部１１は、比較の結果、一致しない場合（Ｓ１５１０；Ｎｏ）、つまり、出金カセットＡに保有していた紙幣が流通券であるときに新券を分配補充してしまった場合、あるいは出金カセットＡに保有していた紙幣が新券である時に流通券を分配補充してしまった場合と考えられるが、この場合は、次のいずれかの処置を講ずる。具体的には、制御部１１は、出金カセットＡ以外の他の出金カセットのなかで、出金カセットＡと同一金種のカセットがあり、かつ、その出金カセットの新券・流通券の区分が今回、出金カセットＡに分配した紙幣の新券・流通券の区分と同一のものが存在するか否かを判定し（Ｓ１５１１）、存在すると判定した場合（Ｓ１５１１；Ｙｅｓ）は、当該カセットに今回、出金カセットＡに分配した枚数のすべてを移し変える（Ｓ１５１２）。
【００５５】
一方、制御部１１は、ステップＳ１５１１においてカセットが存在しないと判定した場合（Ｓ１５１１；Ｎｏ）は、図１１に示す保有テーブル上の出金カセットＡの新券・流通券区分を「流通券」に更新する（Ｓ１５１３）。ここで、新券・流通券区分を「流通券」にセットする理由は、仮に「新券」とセットした場合は、利用者が両替取引で新券紙幣の両替を希望した場合に、出金カセットＡに保有する紙幣を出金することになり流通券が出金されるという問題が生じうること、また、利用者が新券紙幣の両替を希望しない場合に新券紙幣が出金されることがあっても、この場合は問題にはならないことを考慮してのものである。
【００５６】
続いて、紙幣入出金機構部１３が行う紙幣の判別について説明する。図１６は、紙幣入出金機構部１３が、制御部１１からの制御により行う新券・流通券の判別を行う処理（紙幣判別処理）の処理手順を示すフローチャートである。紙幣入出金機構部１３は、特定の出金カセットについて、出金カセットに分配収納された紙幣枚数（変数Ｎ）と、装填処理前後での紙幣の厚みの変化量（変数Ｐ）を入力パラメタとして紙幣判別処理を実行する。
【００５７】
最初に、制御部１１は、図１７に示す変換テーブルを参照の上、当該出金カセットに分配収納された紙幣枚数（入力パラメタの変数Ｎ）に対応する新券紙幣の厚みを抽出し変数βにセットする（Ｓ１６０１）。次に、制御部１１は、変数βと入力パラメタの変数Ｐとを比較する（Ｓ１６０２）。これは、分配収納された紙幣が、仮に新券であったとした場合の厚みと、実際に計測した紙幣の厚みを比較するものである。
【００５８】
制御部１１は、変数Ｐ≦βであると判定した場合（Ｓ１６０２；Ｙｅｓ）、すなわち、実測の厚み値が新券の厚み値以下である場合は、制御部１１は、分配収納した紙幣を「新券紙幣」と判定する（Ｓ１６０６）。一方、制御部１１は、変数Ｐ＞βであると判定した場合（Ｓ１６０２；Ｎｏ）、すなわち、実測の厚み値が新券の厚み値より大きい場合は、単純に、「流通紙幣」と判定するのではなく、分配収納された紙幣の嵩み度合を調べ（Ｓ１６０３）、その結果をもって判定する方式としている。流通紙幣の厚みは新券紙幣の厚みに対して２割り増し程度嵩むものとの経験的な見方があるが、ここでは、一例として嵩み度合が３％を超える紙幣を流通紙幣として扱い、３％以下の紙幣を新券と判定するようにした（Ｓ１６０４、Ｓ１６０５、Ｓ１６０６）。この３％の値については、実際の運用状況に応じて、現場で変更できるようにパラメタ化しておくのが望ましい。
【００５９】
図１７は、紙幣カセットに収容している紙幣が新券紙幣と仮定した場合の、保有枚数から厚みの値を算出できるようにした変換テーブル（厚み変換テーブル）である。この変換テーブルは、メモリ１３３にあらかじめ記憶されている。図１７に示すように、変換テーブルには、紙幣の枚数と、新券紙幣を束ねた場合の厚みとが対応付けて記憶されている。例えば、新券紙幣を束ねた場合の厚みが０．１ｍｍである場合には１枚の新券紙幣が収納される一方、新券紙幣を束ねた場合の厚みが３００．０ｍｍである場合には３０００枚の新券紙幣が収納されていることを示している。ここでは、新券紙幣換算で３０００枚程度収納できる紙幣カセットを想定し、新券紙幣の厚みの基準を１００枚あたり１０．０ｍｍとしている。
【００６０】
図１８は、利用者が両替金種の指定を行う両替設定ボタンの例である。出金用紙幣カセットＡ〜Ｃの金種構成および新券・流通券の区分に応じて、自動的に設定ボタンのパターンが選択され、利用者に案内表示される。（１）のパターンは出金カセットＡ〜Ｃが万円（流通券）、５千円（流通券）、千円（流通券）の構成時に案内され、（２）のパターンは、出金カセットＡ〜Ｃが５千円、千円（流通券）、千円（新券）の構成時に案内される。
【００６１】
このように、新券紙幣・流通紙幣の判別では、新券紙幣を束ねた場合の厚みと、流通紙幣を束ねた場合の厚みが異なる性質を利用し、紙幣カセット内の収容紙幣の厚みを装填処理前後に測定することにより装填処理での変化量を検出し、装填した紙幣が新券紙幣であるか流通紙幣であるかの判別を自動的に行う方式としているので、新券と流通券を取り扱う自動両替取引装置において、係員の手を煩わせることなく紙幣カセットにセットする紙幣の区分（新券紙幣／流通紙幣）の設定が可能な自動両替取引装置を提供することが可能となる。例えば、新券紙幣と流通紙幣を切り替えて運用する場合、その都度、係員が操作パネルから入力していた手間を省き、さらに係員による入力ミスや入力漏れといった人為ミスによる誤動作を防止することができる。
【００６２】
なお、本実施例においては、本発明にかかる自動両替取引装置をＢＴＲに適用した場合について説明しているが両替取引機能を有するＡＴＭに適用することも可能である。また、ここでは紙幣カセット内に収容している紙幣の厚みを検出する方式としたが、紙幣入出金部３２、一時保留部３４に紙幣の厚みを検出する機構をもたせ、装補補充用紙幣カセットの紙幣を一旦、紙幣入出金部３２、一時保留部３４に収容して、厚みを計測した後に、紙幣カセットへ収容する方式とすることもできる。
【００６３】
さらに、紙幣入出金機構部１３が紙幣の厚みを判別して自動的にカセット内の紙幣が新券であるか流通券であるか判別しているので、例えば、取引処理中に自動両替取引装置に障害が発生し、確実に新券を繰り出せなくなった場合等には、紙幣入出金機構部１３は新券が装填されているカセットからの紙幣の繰り出しを行わず、流通券が装填されているカセットからの紙幣の繰り出しのみ行うことも可能である。
【符号の説明】
【００６４】
１  自動両替取引装置（ＢＴＲ）
１１  制御部
１２  操作部
１３  紙幣入出金機構部
１３１  カウンタ
１３２  タイマ
１３３  メモリ
１４  硬貨出金機構部
１５  包装硬貨出金機構部
１６  カード機構部
１７  明細票機構部
１８  手数料硬貨入金部
３０  紙幣計数部
３１  紙幣金庫部
３２  紙幣入出口部
３３  識別部
３４  一時保留部
３５〜３７  出金用紙幣カセット
３８  入金用紙幣カセット
３９  装填補充用の紙幣カセット
４０  分配リジェクト回収部
４１  リジェクト回収部
４２  取忘れ回収部。
４５  押圧板
４６  元位置検知センサ
４７  到達検知センサ
４８  フィードローラー
４９  ピックアップローラー
５０  ゲートローラー。
【図１】
2013152591.tif 000003
【図２】
2013152591.tif 000004
【図３】
2013152591.tif 000005
【図４】
2013152591.tif 000006
【図５】
2013152591.tif 000007
【図６】
2013152591.tif 000008
【図７】
2013152591.tif 000009
【図８】
2013152591.tif 000010
【図９】
2013152591.tif 000011
【図１０】
2013152591.tif 000012
【図１１】
2013152591.tif 000013
【図１２】
2013152591.tif 000014
【図１３】
2013152591.tif 000015
【図１４】
2013152591.tif 000016
【図１５】
2013152591.tif 000017
【図１６】
2013152591.tif 000018
【図１７】
2013152591.tif 000019
【図１８】
2013152591.tif 000020